(57)【要約】【課題】底面の凹凸模様を比較的容易に形成することができ、且つ凹凸を明確にすることにより、はっきりした足跡を形成することができ、履き心地もよく、ファッション性にも優れたサンダルを提供する。【解決手段】同形状の弾性板を複数枚積層したサンダル本体１０を有するサンダル１において、前記サンダル本体１０は、少なくとも一つの貫通部１４ａ〜１４ｄを形成した少なくとも一枚の凹部形成用弾性板１３を底面側に積層してあり、前記貫通部１４ａ〜１４ｄにより形成された所望形状の凹部１５ａ〜１５ｄを具備する。【選択図】        図２
2004337195.tif 000002
【特許請求の範囲】
【請求項１】
同形状の弾性板を複数枚積層したサンダル本体を有するサンダルにおいて、前記サンダル本体は、少なくとも一つの貫通部を形成した少なくとも一枚の凹部形成用弾性板を底面側に積層してあり、前記貫通部により形成された所望形状の凹部を具備することを特徴とするサンダル。
【請求項２】
請求項１において、前記所望形状の凹部が、前記少なくとも一枚の凹部形成用弾性板の厚さを深さとするものであることを特徴とするサンダル。
【請求項３】
請求項１又は２において、前記凹部形成用弾性板が少なくとも二枚の凹部形成用弾性板を含み、前記所望形状の凹部は、前記少なくとも二枚の凹部形成用弾性板の総厚を深さとする領域と、前記少なくとも二枚の凹部形成用弾性板の底面側の少なくとも一枚の厚さを深さとする領域とを具備することを特徴とするサンダル。
【請求項４】
請求項１〜３の何れかにおいて、前記凹部形成用弾性板が、ゴム材料、熱可塑性樹脂、又は熱硬化性樹脂、並びにこれらの発泡体の何れかからなることを特徴とするサンダル。
【発明の詳細な説明】
【０００１】
【発明の属する技術分野】
本発明は、ビーチサンダルなど砂浜などで着用できるサンダルに関し、砂浜などに所望形状の文字、図柄をスタンプ状に、はっきりと形成でき、且つ比較的簡便に製造できるように工夫したものである。
【０００２】
【従来の技術】
従来、履物の底面には、滑り止め機能やファッション性を発揮させるために所望の幾何学柄やブランド名が凹凸状に形成されたり、印刷されたりしている。また、足跡に広告宣伝作用を付与するためなどの目的で宣伝用の文字やマークを底面に凹凸状に設けたもの（例えば、特許文献１参照）や、遊び心で底面に絵柄や文字を凹凸状に形成したもの（例えば、特許文献２、特許文献３参照）がある。
【０００３】
【特許文献１】
実開昭５４−９８３５０号公報  （実用新案登録請求の範囲、第１図など）
【特許文献２】
実開昭５２−７８５４４号公報  （実用新案登録請求の範囲、第１図など）
【特許文献３】
特開２０００−６５３０６号公報  （特許請求の範囲、図１〜図３など）
【０００４】
【発明が解決しようとする課題】
しかしながら、従来の履物の底面の構造は、底面を構成するゴム部材などに凹凸模様を成形したものであるので、凹凸の程度が不十分で、はっきりした足跡が形成できなかったり、成形のための金型等が必要であったりして、実用化されていないのが現状である。
【０００５】
本発明はこのような事情に鑑み、底面の凹凸模様を比較的容易に形成することができ、且つ凹凸を明確にすることにより、はっきりした足跡を形成することができ、履き心地もよく、ファッション性にも優れたサンダルを提供することを課題とする。
【０００６】
【課題を解決するための手段】
前記課題を解決する本発明の第１の態様は、同形状の弾性板を複数枚積層したサンダル本体を有するサンダルにおいて、前記サンダル本体は、少なくとも一つの貫通部を形成した少なくとも一枚の凹部形成用弾性板を底面側に積層してあり、前記貫通部により形成された所望形状の凹部を具備することを特徴とするサンダルにある。
【０００７】
本発明の第２の態様は、第１の態様において、前記所望形状の凹部が、前記少なくとも一枚の凹部形成用弾性板の厚さを深さとするものであることを特徴とするサンダルにある。
【０００８】
本発明の第３の態様は、第１又は２の態様において、前記凹部形成用弾性板が少なくとも二枚の凹部形成用弾性板を含み、前記所望形状の凹部は、前記少なくとも二枚の凹部形成用弾性板の総厚を深さとする領域と、前記少なくとも二枚の凹部形成用弾性板の底面側の少なくとも一枚の厚さを深さとする領域とを具備することを特徴とするサンダルにある。
【０００９】
本発明の第４の態様は、第１〜３の何れかの態様において、前記凹部形成用弾性板が、ゴム材料、熱可塑性樹脂、又は熱硬化性樹脂、並びにこれらの発泡体の何れかからなることを特徴とするサンダルにある。
【００１０】
かかる本発明によると、貫通部を有する凹部形成用弾性板を打ち抜き等で形成し、凹部封止用弾性板と積層するだけで所望形状の凹部を底面に有するサンダルとすることができ、所望形状の凹部により形成される足跡を砂浜等にはっきりと形成でき、ファッションとしての用途は勿論、子供の迷子防止等に使用することができる。
【００１１】
【発明の実施の形態】
以下、本発明を実施形態に基づいて説明する。
【００１２】
図１及び図２には、一実施形態に係るサンダルの斜視図及び分解斜視図を示す。
【００１３】
これらの図面に示すように、サンダル１は、サンダル本体１０と、鼻緒２０とを具備する。
【００１４】
ここで、サンダル本体１０は、鼻緒２０が取り付けられた第１の弾性板１１と、その下側に貼り付けられた第２の弾性板１２と、底面に貼り付けられた第３の弾性板１３とを有する積層板である。
【００１５】
ここで、これら第１〜第３の弾性板１１〜１３は、着用した際に良好な履き心地が得られ且つ歩ける程度に弾性変形できるものであれば、材質は限定されない。例えば、各種ゴム材料、熱可塑性樹脂、又は熱硬化性樹脂、並びにこれらの発泡体の何れかなどで形成すればよく、また、第１〜第３の弾性板１１〜１３が全て同材質でもよいし、それぞれ異なる適当な材質を選定してもよい。勿論、各弾性板１１〜１３の色も特に限定されず、全て同色でもよいが、異なる色にしてファッション性を高めるようにしてもよい。
【００１６】
また、第１〜第３の弾性板１１〜１３の積層は適当な接着剤を介して又は加熱・加圧接着などにより接合すればよく、特に限定されない。なお、第１〜第３の弾性板１１〜１３の製造方法も特に限定されず、金型等により成形してもよいが、板状部材から打ち抜いて形成するのが好ましい。
【００１７】
一方、鼻緒２０も従来から一般的に使用される材質を用いれば特に限定されないが、例えば、ゴムや熱可塑性樹脂、あるいは布製などの履き心地のよいものを用いるのが好ましい。
【００１８】
本実施形態では、第３の弾性板１３が凹部形成用弾性板であり、貫通部１４ａ〜１４ｄを具備する。ここで、貫通部１４ａ〜１４ｄは、第３の弾性板１３を製造する際に同時に形成するのが好ましく、例えば、打ち抜きにより比較的簡便に形成できる。
【００１９】
また、第１の弾性板１１及び第２の弾性板１２は、貫通部封止用弾性板であり、第３の弾性板１３に積層されて貫通部１４ａ〜１４ｄを封止し、凹部１５ａ〜１５ｄを形成する。
【００２０】
本実施形態のサンダル１は、第３の弾性体１３に形成された貫通部１４ａ〜１４ｄとこれを封止する第２の弾性板１２とにより、凹部１５ａ〜１５ｄが形成される構造を有しているので、比較的深い凹部１５ａ〜１５ｄが比較的容易に形成できる。また、所望形状の凹部１５ａ〜１５ｄにより所望の絵柄や文字等が容易に形成できるので、各種キャラクターなどの独自の絵柄や文字をはっきりと再現する足跡が砂浜等に形成できる。
【００２１】
以上説明した実施形態では、凹部形成用弾性板を一枚としたが、同一の貫通部１４ａ〜１４ｄを形成したものを二枚以上積層して凹部形成用弾性板としてもよい。
【００２２】
また、以上説明した実施形態では、凹部１５ａ〜１５ｄは、全て同じ深さであるが、凹部形成用弾性板を二枚以上とし、例えば、そのうち一枚のみを貫通する貫通部と、二枚を貫通する貫通部、さらには三枚を貫通する貫通部などにより所望形状の凹部を形成することにより、深さの異なる貫通領域を容易に形成することもできる。
【００２３】
このような実施形態の一例を図３及び図４に示す。
【００２４】
この実施形態のサンダル１Ａは、第２の弾性板１２の代わりに、貫通部１４ｅを有する第２の弾性板１２Ａを有するサンダル本体１０Ａを有する以外は、上述した実施形態と同一である。
【００２５】
すなわち、第２の弾性板１２Ａは、貫通部１４ｄの同一形状の貫通部１４ｅを有するが、他の貫通部１４ａ〜１４ｃに対応する貫通部は有さないものであり、貫通部封止用弾性板と凹部形成用弾性板とを兼ねるものである。
【００２６】
このような構成にすることにより、第３の弾性板１３の厚さと同一の深さの凹部１５ａ〜１５ｃの他、第３の弾性板１３及び第２の弾性板１２を併せた厚さと同一の深さの凹部１６を設けることができる。これにより、形成される足跡にさらに表現力を付与することが可能である。
【００２７】
なお、例えば、第２の弾性板１２Ａに形成する貫通部を第３の弾性板１３に形成した貫通部１４ｄと同一形状とはせず、少し小さい又は異なる形状として貫通部１４ｄの一部を封止するようにし、深さの異なる領域が連続する貫通部を形成するようにしてもよい。
【００２８】
また、上述した実施形態では特に説明していないが、凹部１５ａ〜１５ｃ及び１６の側壁は、底面に対して直交するものに限定されるものではなく、凹部１５ａ〜１５ｃ及び１６が、開口側ほど大きくなるように傾斜していてもよい。
【００２９】
【発明の効果】
以上説明したように、本発明のサンダルは、貫通部を有する凹部形成用弾性板を打ち抜き等で形成し、凹部封止用弾性板と積層するだけで所望形状の凹部を底面に有するものであるので、所望形状の凹部により形成される足跡を砂浜等にはっきりと形成できる。従って、今までにない凹凸の深い明確な形状の足跡を形成することができ、また、種々の所望形状の足跡を形成することができるので、他の足跡との差別化をすることができ、海水浴の砂浜における子供の迷子防止等に使用することができる。また、各種キャラクターなどの足跡を比較的容易に形成でき、ファッションとしての用途にも好適である。
【図面の簡単な説明】
【図１】一実施形態に係るサンダルの斜視図及び分解斜視図である。
【図２】一実施形態に係るサンダルの斜視図及び分解斜視図である。
【図３】他の実施形態に係るサンダルの斜視図及び分解斜視図である。
【図４】他の実施形態に係るサンダルの斜視図及び分解斜視図である。
【符号の説明】
１，１Ａ  サンダル
１０，１０Ａ  サンダル本体
１１  第１の弾性板
１２，１２Ａ  第２の弾性板
１３  第３の弾性板
１４ａ〜１４ｅ  貫通部
１５ａ〜１５ｄ，１６  凹部
２０  鼻緒
【図１】
2004337195.tif 000003
【図２】
2004337195.tif 000004
【図３】
2004337195.tif 000005
【図４】
2004337195.tif 000006